【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】  閉鎖容器から微粒子及び蒸気相汚染物質を除去するのに適合したフィルターであって、次のもの、即ち：
一つの開口を有する第一の端部、一つの開口を有する第二の端部、及び少なくとも一つの側面を含む硬質のフレームであって、その中に或る容積を限定するフレーム；
上記の硬質のフレームに隣接して伸びる一つの延長部であって、その中に少なくとも一つの開口を有する延長部；
第一の端部の開口を覆う少なくとも一つの第一のフィルター媒体、及び第二の端部の開口を覆う少なくとも一つの第二のフィルター媒体であって、これによって硬質のフレーム内に上記の容積を含み、一つの室を形成する前記のフィルター媒体；
室内に配置された少なくとも一つの吸着剤；及び
延長部内の少なくとも一つの開口を覆う少なくとも一つの第三のフィルター媒体；
を含むフィルター。
【請求項２】  更に少なくとも一つの側面に一つの入り口孔を有する、請求項１に記載のフィルター。
【請求項３】  更に入り口孔を覆うフィルター媒体を有する、請求項２に記載のフィルター。
【請求項４】  更に前記の入り口孔上に調整された拡散チューブを有する、請求項２に記載のフィルター。
【請求項５】  前記の少なくとも一つの側面が複数の側面を含む、請求項１に記載のフィルター。
【請求項６】  前記の少なくとも一つの側面が、少なくとも一つのフィルター媒体によって覆われる一つの開口を有する、請求項１に記載のフィルター。
【請求項７】  前記の延長部が、第１端部及び第二端部の少なくとも一つに平行な平面に隣接して伸びる、請求項１に記載のフィルター。
【請求項８】  前記の少なくとも一つの第一、第二又は第三のフィルター媒体が、少なくとも、紙、膜、不織布、スクリム、及び流延ポリマー膜から成るグループから選ばれた材料を含む、請求項１に記載のフィルター。
【請求項９】  前記の少なくとも一つの第一、第二又は第三のフィルター媒体が、延伸膨張ポリテトラフルオロエチレン、ポリプロピレン、ポリエチレン、及びポリエステルから成るグループから選ばれた、少なくとも一つの材料を含む、請求項１に記載のフィルター。
【請求項１０】  前記の少なくとも一つの第一、第二又は第三のフィルター媒体がエレクトレットフィルター媒体を含む、請求項１に記載のフィルター。
【請求項１１】  前記の少なくとも一つのフィルター媒体が、少なくとも一つの、紙、膜、不織布、スクリム、及び流延ポリマー膜から成るグループから選ばれた材料を含む、請求項６に記載のフィルター。
【請求項１２】  前記の少なくとも一つのフィルター媒体が、延伸膨張ポリテトラフルオロエチレン、ポリプロピレン、ポリエチレン、及びポリエステルから成るグループから選ばれた、少なくとも一つの材料を含む、請求項６に記載のフィルター。
【請求項１３】  前記の少なくとも一つのフィルター媒体がエレクトレットフィルター媒体を含む、請求項６に記載のフィルター。
【請求項１４】  更に閉鎖容器をシールするために前記フィルターに取付けられたガスケットを有する、請求項１に記載のフィルター。
【請求項１５】  前記の硬質のフレームが前記室内にベンチュリーを含む、請求項１に記載のフィルター。
【請求項１６】  前記の硬質のフレームが、閉鎖容器内の空気流の向きを変更するのに適合したベーンを更に有する、請求項１に記載のフィルター。
【請求項１７】  環境からの汚染物質を除去するのに適合したフィルターを含む物品であって、次のもの、即ち：
４個の側面、第一の開放端、及び第二の開放端を有する硬質のフレームであって、その中に或る容積を限定する硬質のフレーム；
第一の開放端及び第二の開放端の少なくとも一つに平行な面内で伸びる延長部であって、その中に一つの開口を有する延長部；
第一の開放端を覆う少なくとも一つの第一のフィルター媒体、及び第二の開放端を覆う少なくとも一つの第二のフィルター媒体であって、これによって硬質のフレーム内に前記の容積を閉じ込め、一つの室を形成する前記のフィルター媒体；
前記室内に配置された少なくとも一つの吸着剤；
前記延長部内の開口を覆う少なくとも一つの第三のフィルター媒体；及び
４個の側面の一つに在る入り口であって、その上に配置された拡散チューブを
有する入り口；
を含み、
これによって、拡散チューブが閉鎖容器内の通気孔と一列になるように、本フィルターが閉鎖容器内に配置される時、本フィルターが、前記環境内に入る空気からの汚染物質及び閉鎖容器内に存在する汚染物質を除去することができる物品。
【請求項１８】  閉鎖容器から微粒子及び蒸気相汚染物質を除去するのに適合したフィルターであって、次のもの、即ち：
実質的に平行四辺形の形態を有する硬質の三次元のフレームであって、夫々頂部の縁、底部の縁、及び２個の側部の縁を有する第一の開放端及び第二の開放端；底面；夫々その中に開口を有する２個の側面；その中に開口を有し、前記の２つの開放端を連結する頂面；及びその中に開口を有し、前記の硬質のフレームを二分し、第一の開口端の下部の縁から第二の開口端の上部の縁に伸びるフレーム部分を含む三次元フレーム；
第一の開放端を覆う少なくとも一つの第一のフィルター媒体、及び第二の開放端を覆う少なくとも一つの第二のフィルター媒体；
前記の二分するフレーム部分の下に室をつくるように、前記の二分するフレーム部分の開口を覆う少なくとも一つの第三のフィルター媒体、及び開放端の側部の縁を連結する側面の少なくとも一つの部分を覆う少なくとも一つの第四のフィルター媒体；及び
前記の室内に配置された少なくとも一つの吸着剤；
を含むフィルター。
【請求項１９】  更に底面に入り口孔を有する、請求項１８に記載のフィルター。
【請求項２０】  更に前記の入り口孔をおおうフィルター媒体を有する、請求項１９に記載のフィルター。
【請求項２１】  更に前記の入り口孔に調整された拡散チューブを有する、請求項１９に記載のフィルター。
【請求項２２】  前記の硬質のフレームがポリカーボネートを含む、請求項１８に記載のフィルター。
【請求項２３】  前記の底面が、少なくとも一つのフィルター媒体によって覆われている開口を含む、請求項１８に記載のフィルター。
【請求項２４】  前記の第一のフィルター媒体、前記の第二のフィルター媒体、前記の第三のフィルター媒体、及び前期の第四のフィルター媒体が同一の性質を有する、請求項１８に記載のフィルター。
【請求項２５】  前記の第一のフィルター媒体、前記の第二のフィルター媒体、前記の第三のフィルター媒体、及び前記の第四のフィルター媒体が異なった性質を有する、請求項１８に記載のフィルター。
【請求項２６】  前記のフィルターが入り口を取り囲むガスケットを更に有する、請求項２又は１９に記載のフィルター。
【請求項２７】  接着剤、適宜の場所で落し込む集成装置、適宜の場所でロックする集成装置、及び加圧でフィットするガスケット集成装置から成るグループより選ばれた、前記のフィルターを前記の閉鎖容器に取付けるための取付け手段を更に有する、請求項１又は１８に記載のフィルター。
【請求項２８】  前記の入り口孔を取り囲む前記の閉鎖容器に、前記のフィルターを取付けるための接着剤を更に有する、請求項２又は１９に記載のフィルター。
【請求項２９】  閉鎖容器から微粒子及び蒸気相汚染物質を除去するのに適合したフィルターであって、次のもの、即ち：
開口を有する第一の端部、開口を有する第二の端部、及び少なくとも一つの側面を含む硬質のフレームであって、その中に或る容積を限定する硬質のフレーム；
前記の硬質のフレームに隣接して伸びる延長部であって、その中に少なくとも一つの開口を有する延長部；
第一の端部の開口を覆う少なくとも一つの第一のフィルター媒体；
前記の容積の少なくとも一部分の中に配置された少なくとも一つの吸着剤；
吸着剤を覆い、吸着剤を前記の容積の少なくとも一部分の中に包含する少なくとも一つの第二のフィルター媒体；及び
延長部の少なくとも一つの開口を覆う少なくとも一つの第三のフィルター媒体；
を含むフィルター。
【請求項３０】  前記の硬質のフレームが、ポリカーボネート、ポリプロピレン、アクリル樹脂、エポキシ樹脂、アルミニウム、ステンレススチール、真鍮、アルミナ、硝子、及び強化エポキシ樹脂から成るグループから選ばれた、少なくとも一つの材料を含む、請求項１又は２９に記載のフィルター。
【請求項３１】  前記の硬質のフレームがポリカーボネートを含む、請求項３０に記載のフィルター。
【請求項３２】  前記の第一のフィルター媒体、前記の第二のフィルター媒体、及び前記の第三のフィルター媒体が同一の性質を有する、請求項１又は２９に記載のフィルター。
【請求項３３】  前記の第一のフィルター媒体、前記の第二のフィルター媒体、及び前記の第三のフィルター媒体が異なる性質を有する、請求項１又は２９に記載のフィルター。
【請求項３４】  前記の少なくとも一つの吸着剤が、シリカゲル、活性炭、活性アルミナ、クレー、及びモレキュラーシーブから成るグループから選ばれた、少なくとも一つの材料を含む、請求項１又は２９に記載のフィルター。
【請求項３５】  前記の少なくとも一つの吸着剤が、過マンガン酸カリウム、炭酸カリウム、沃化カリウム、炭酸カルシウム、硫酸カルシウム、炭酸ナトリウム、水酸化ナトリウム、水酸化カリウム、沃化ナトリウム、水酸化カルシウム、及び粉末銀から成るグループから選ばれた、少なくとも一つの材料を含む、請求項１又は２９に記載のフィルター。
【請求項３６】  更にフィルターを通る空気の流れを変えるための少なくとも一つの手段を含む、請求項２９に記載のフィルター。
【請求項３７】  空気の流れを変えるための前記の手段が、前記の硬質フレーム上のベンチュリーを含む、請求項３６に記載のフィルター。
【請求項３８】  空気の流れを変えるための前記の手段が、前記の硬質フレーム上のベーンを含む、請求項３６に記載のフィルター。
【請求項３９】  空気の流れを変えるための前記の手段が、前記の硬質フレーム上の突起を含む、請求項３６に記載のフィルター。
【手続補正２】
【補正対象書類名】明細書
【補正対象項目名】００１５
【補正方法】変更
【補正の内容】
【００１５】
単一のドライブ中における異なった機能を有する数種類のフィルターの組合せは教示されてきた。例えばビークロフトの米国特許第５４０６４３１号は、ドライブ内の特定の場所に或る吸着剤通気及び再循環フィルターを有するディスクドライブ用のフィルターシステムを記述している。またベック等による米国特許第４６３３３４９号は、通気フィルターを取り囲む再循環フィルター集成体中に、二つの媒体を含むドラムタイプフィルター要素を有するディスクドライブフィルター集成体を教示している。更にボルトン等の米国特許第４８５７０８７号は、再循環フィルターのハウジング中に通気フィルターを組み入れることを教示しているが、可成り多くの部品を有しこの組み入れを行なうのに、ハウジング、開口、及びガスケットを含む第三のフィルター要素を組み入れることになる。これらの特許に記述された組合せは、ディスクドライブの別々の領域にフィルター構成物を配置するか、ドライブ内に構成部品を配置するために、空間を無駄にする取付け具を組み入れることになる。
【手続補正３】
【補正対象書類名】明細書
【補正対象項目名】００２２
【補正方法】変更
【補正の内容】
【００２２】
第一の好ましい実施態様において、本フィルターは、第一の開放端、第二の開放端、及び少なくとも一つの側面または壁を有する硬質のフレームを含み、ここで本フレームは、第一及び第二の開放端の間に或る容積を有する室を限定する。第一及び第二の開放端は開口上に取り付けられた微粒子濾過媒体を有して室を閉鎖し、吸着剤物質がその室内に保持される。硬質フレームの延長部は、フレームに連続しているか別に取り付けられた一区画で、その中に開口を有し、室に隣接して、好ましくは硬質フレームの第一または第二開放端と実質的に平面状に配置され、前記開口はまたその開口を覆うフィルター媒体を有する。ディスクドライブ内での使用に際しては、このようなフィルターは、硬質フィルターの端部が濾過されるべき再循環空気の通路中に配置されるようにディスクドライブ内に設置が可能である。再循環空気は、吸着剤室を通って通過して吸着剤濾過を提供され、またフレームの延長部に設置された隣接フィルター媒体を通って再循環空気の微粒子濾過を提供される。
【手続補正４】
【補正対象書類名】明細書
【補正対象項目名】００２９
【補正方法】変更
【補正の内容】
【００２９】
好ましくは吸着剤は、酸性ガスまたは類似物の吸着のための化学的処理（例えば、炭酸カリウム、炭酸カルシウム、または炭酸ナトリウムによる処理）の有無によらずシリカゲルや活性炭、モレキュラシーブ、活性アルミナ、及びこれらの混合物を含むことができる。吸着剤の他の好ましい実施態様は、吸着剤充填ＰＴＦＥシートを利用し、ここでは吸着剤粒子が、モーティマージュニアに交付された米国特許第４９８５２９６号に教示されているような網状組織のＰＴＦＥ構造の中に捕捉されている。なお本特許は特に参考として本出願に取り入れられている
本発明に適したフィルター材料としては、延伸膨張ポリテトラフルオロエチレン（ｅＰＴＦＥ）、ポリプロピレンまたはポリエチレン膜のようなフィルター紙またはフィルター膜、不織布またはスクリム（例えば、ポリエステルまたはポリオレフィン類）、または流延ポリマー膜、またはフィルター材の或る組合せのようなフィルター媒体が挙げられる。更にエレクトレットフィルター媒体（即ち、局部の静電荷電を保留することができる繊維状材料）が、反対電荷の粒子を局部的に吸引捕捉するために使用され得る。フィルター材はまたポリマーの不織布、スクリーン、またはスクリムのような支持層に積層され得る。更にいろいろな性質のフィルター材が多機能フィルターの異なった場所に組み入れられ、フィルターの性能を最適化することができる。例えば、高い空気流のフィルター媒体（一般にフレージャー数（水柱０．５インチに相当する空気圧での立方ｆｔ／ｍｍ／平方ｆｔ）で１００より大）が、少なくとも中程度の粒子濾過効率（即ち、０．１ミクロンの直径の粒子に対して２５−９０％）を有する再循環フィルター部に対して一般に好ましく、一方より高い濾過効率（即ち、０．１ミクロンの直径の粒子に対して９０％より大）のフィルター媒体が、通気孔または吸着材部分に対して望ましいことがあり得る。若しドライブ内での能動吸着を得るためにより高い対流が吸着剤を充填した室を貫通することが望まれるならば、室の開口を覆う低濾過効率（即ち、中程度以下）の媒体が、室への入り口孔を覆う高濾過効率の媒体と、好ましくは数珠状、固体、またはシート状のような微粒子に対して抵抗性のある吸着剤と対にされ得る。若しドライブ内で主として受動吸着が望まれるならば、より高い濾過効率のフィルター媒体が吸着室の開口上に使用され、より低い濾過効率で、より高流量の媒体が再循環フィルター部に、また選択的に室への入り口孔上に使用され得る。またフィルターの吸着剤要素のフィルター媒体は、若し他の要素が粒子濾過及び空気流に対して最適化されているならば、吸着剤閉じ込め機能を最適化するように選択することができる。例えば、若し細かく分割された形態の吸着剤が使用されるとか、または組み立てに際して多くの過程を経る場合には、高い機械的強度（０．５ポンドより大きいボール破裂強度）を有するフィルター媒体が好ましい。高いモーター速度（一般に７２００rpm以上）を有するドライブ中では、好ましい実施態様は、吸着剤充填室の上流の開口上に高流量フィルター媒体を含み、本室の下流の開口上に高強度、高濾過効率の媒体を含み、また再循環濾過部には高流量、中程度の濾過効率のフィルター媒体を含む。与えられたフィルターの応用の特別の性能要求が使用されるフィルター媒体の選択を指令するが、併しながら、フィルター性能の最適化において高い柔軟性を与えることが本発明の新奇な構成である。
【手続補正５】
【補正対象書類名】明細書
【補正対象項目名】００３４
【補正方法】変更
【補正の内容】
【００３４】
本発明の多機能フィルターは、ドライブのハウジングに良好な取付けを与える任意の適当な方法、例えば、接着、溶接、機械的ロック、加圧フィット等によってディスクに取付けが可能である。一つの好ましい態様において、接着剤物質がフィルターをディスクドライブに取付けるために使用可能である。本接着剤は、フィルターの望ましい構成によって、感圧接着剤層、支持材上の両面接着剤テープ、または複数の支持材上の複数の側面を有する接着剤を含むことができることは、本技術に精通する者にとっては明らかである。接着剤はまた感熱、または紫外線硬化型或は他の硬化可能な接着剤を含むことができる。ディスクドライブハウジングへの取付けに先立って、露出接着剤層は接着剤を保護するため及びフィルターの取り扱いを容易にするために、一つ以上の剥離裏付け材をそれに接着させることができる。剥離裏付け材はフィルターのディスクドライブ閉鎖容器への集成に先立って除去される。
【手続補正６】
【補正対象書類名】明細書
【補正対象項目名】００３８
【補正方法】変更
【補正の内容】
【００３８】
本発明の多機能フィルターに追加の部体を一体化することによって、ディスクドライブ内の空気の流れを変えたり制御して、フィルターの性能を最適化することの可能性があり得る。本フィルターの再循環フィルター構成体および吸着剤構成体間の空気流の分布に影響を与える設計変数としては、再循環フィルター構成体及び吸着剤充填室の開口の相対的大きさ、形状、及び配向（例えば、同面であるか、傾斜しているか、同軸であるか等）が挙げられる。例えば、本発明の好ましい態様において、フィルターは先細の狭窄部を有し、これによってベンチュリーが作られ、これはフィルターの稼働時に流体（空気）が狭窄部を通って流れる時速度の増加に伴って減圧を生じさせる。フィルターを通る空気流を最適化する他の手段は、高い空気流の領域の閉鎖容器中にフィルターを配置し、フィルターと閉鎖容器の側壁との間の空隙を最小化することによってフィルターの周りの空気のバイパス流れを減少することを含む。後者の目的の達成は本発明の硬質フレームによって容易になり、厳密な寸法制御及び安定性を可能にする。更に、ベーンのような突起または空気の流路を規定する部体を一つ以上硬質フレーム上の一つ以上の選択された場所に包含させることは、フィルターを通る空気の流れを変えるのに役立つことができる。
発明の詳細な説明
図１を参照すると、本発明の硬質多機能フィルターの第一の実施態様の構成要素の分解組立図が示されている。フィルター１は、第一の開口端４を有するフレーム５、或る容積を限定する室１６、及び硬質フレームに隣接し且つ室１６上でそれに直角に配向して延長しその中に開口を有する延長部１３を含む。フレーム５は室１６の反対の端部に第二の開口端（示されず）を有する。入り口９が室１６の底面に配置され、ハウジング５の底面上の拡散チューブ（示されず）に接続している。底面に隣接する接着材１０が拡散チューブを覆い、ディスクドライブの蓋またはベースプレートのような取付け面にフィルター１を接着するために使用され得る。接着材１０は拡散チューブの入り口上に孔１１を有し、これによって拡散チューブと取付け面に配置された通気孔との間の流体交流を可能にする。室１６内の入り口９は、室１６の内面に添付されている微多孔質の微粒子濾過媒体１２によって覆われている。フィルター１は更に微多孔質の微粒子濾過媒体の第一の層２を有し、これは繊維質のエレクトレット微粒子濾過媒体の第二の層３に隣接し、これらはいずれも硬質フレーム５の第一の開口端４を覆い且つこれに添付される。室１６の第二の開口端（示されず）は同様に繊維質のエレクトレット微粒子フィルター媒体の第二の層７及びそれに添付された微多孔質の微粒子濾過媒体８を有する。微多孔質の濾過媒体１４が延長部１３の開口に添付される。
【手続補正７】
【補正対象書類名】明細書
【補正対象項目名】００４９
【補正方法】変更
【補正の内容】
【００４９】
図８ａ、８ｂ、及び８ｃは本発明のもう一つの実施態様の夫々側面透視図、断面透視図、及び底面透視図である。図８ａに示すように硬質多機能フィルター８２は吸着剤媒体８７（図８ｂの断面に示される）用の室８６を含む硬質フレーム８４を含む。吸着剤媒体は遊離した微粒子またはビーズの形態（示されず）をとることができ、または三次元構造体であることができる。更に吸着剤媒体８７は、図８ｂに示すように室８６を完全に充填することができ、または室の一部分を占める丈けであることもできる。フィルター８２が、空気が再循環するディスクドライブまたは他の閉鎖容器８８（図８ｂ）に取り付けられる時、フィルター８２を通る再循環空気の方向は矢印で示される。フレームの開口９０を覆うフィルター媒体８９は、ディスクドライブの稼動中微粒子に関して再循環空気を濾過する。若干の再循環空気は、室８６上流側面上で微粒子濾過媒体９４で覆われたフレーム開口９２を経て吸着剤含有室８６に入り、吸着剤８７の露出によって蒸気相汚染物質に関して浄化される。濾過された空気は、下流の微粒子濾過媒体９８で覆われた下流のフレーム開口９６を経て室８６を出る。上流のフレーム部分９２が第一の開放端に対して或る角度で配向され、または硬質フレーム８４を二分する時、その寸法は、上流の微粒子濾過媒体９４の面積を最大にするために、好ましくは、室８６の垂直または水平側面の何れよりも大きな表面積を与えるように仕組むことができる。
【手続補正８】
【補正対象書類名】明細書
【補正対象項目名】００８２
【補正方法】変更
【補正の内容】
【００８２】
次のステップは、先のステップで使用したのと同じ１枚の接着材テープにプラスチックフレームの底の輪郭を軽くトレースし、片刃のかみそりを用いてトレースを行ない、次にトレースに従って接着材を切り進むことを含んでいた。ドライブのベースプレートに在る通気孔から拡散チューブへの入り口に相当する隅に在る、この接着材片を貫通して１／８インチの直径の円形の孔が打ち抜かれた。裏付け材の１層を取り除き、接着材層に在る孔が拡散チューブへの入り口を完全に取り囲み、接着材の他の部分はフレームの底面を完全に覆うように、接着材がプラスチックフレームの底面に取付けられた。過剰の接着材はかみそりを用いてフレームの外縁に沿って切り取った。
【手続補正９】
【補正対象書類名】明細書
【補正対象項目名】００８３
【補正方法】変更
【補正の内容】
【００８３】
プラスチックフレームの前部の開口に濾過媒体を接着するための平滑な面を作るために、４００グリットの研磨布を用いてフレームの前面から突起を取り除いた。シアノアクリレート接着剤（コネチカット州、ロックヒルのロクタイト社のＰＲＩＳＭ（登録商標）４０８）の薄い被覆が、フレームの前面の上部及び下部の両方の開口の周に沿って加えられた。これらの開口上に、プラスチックフレームと接触して膜、即ち、延伸膨張ポリプロピレンメッシュ（デラウエア州、ミドルタウンのアプライドエクストルージョンテクノロジー社のデルネットＲＣ０７０７−２０Ｐ）に積層されたｅＰＴＦＥ膜を含む積層体の第一のシートを置いた。本膜はブランカ等の米国特許第５８１４４０５号に教示された方法に従って製造されたもので、１１２のフレージャー数（水柱０．５インチの空気圧でサンプルの１平方フィート当り毎分の立法フィート）、１．４ポンドのボール破裂強度、０．０００４インチの厚さ、及び５．３２ｃｍ／秒の面速度での０．１ミクロンの直径の粒子に対する４５．８％の濾過効率を有していた。本膜をデルネットに溶融接着した後、この積層体は膜を上流に向けて配向した場合３７のフレージャー数を、デルネットを上流に向けて配向した場合４７のフレージャー数を有していた。本積層体を手袋をはめた指でフレームの縁に緩く圧し下げ、更に同じ接着材の第二の細い線状のものを開口の縁に沿うポリプロピレンのスクリーン上に適用してフレームに接着した。接着剤が乾燥し強い接着が形成された後、過剰の積層体を片刃のかみそりを用いて開口の縁から切り取った。